(57)【要約】【課題】  本発明は、落下等の衝撃が加わっても、ケースに支持したガイドシャフトが、ケースから外れることが無く回転がスムーズなリボンカセットを提供すること。【解決手段】  本発明のリボンカセット１は、インクリボン３と、このインクリボン３の両端部を巻回した供給コア４と巻取りコア５と、前記供給コア４と巻取りコア５とを回転自在に支持するケース２と、供給コア４から巻取りコア５に巻取られるインクリボン３をガイドするガイドシャフト８とを備え、ガイドシャフト８は、長手方向の両端部がケース２側に形成した第１、第２壁２ｅ、２ｆに形成した第１、第２孔に嵌合させて回転自在に支持されている。【選択図】        図１
2005119126.tif 000002
【特許請求の範囲】
【請求項１】
インクリボンと、このインクリボンの両端部を巻回した供給コアと巻取りコアと、前記供給コアと前記巻取りコアとを回転自在に支持するケースと、前記供給コアから前記巻取りコアに巻取られる前記インクリボンをガイドするガイドシャフトとを備え、
前記ガイドシャフトは、長手方向の両端部が前記ケース側に形成した第１と第２の孔に嵌合させて回転自在に支持されていることを特徴とするリボンカセット。
【請求項２】
前記第１孔は、前記ケースに突出形成した所定の厚さ寸法の第１壁部に貫通形成され、前記第２孔は、前記第１壁部と対向する側に形成した第２壁部に前記第１孔と対向して形成され、
前記ガイドシャフトは、一端部側を前記第１孔に挿通させて前記第１孔から外側に突出させると共に、他端部側を前記第２孔近傍の前記ケース側に載置し、前記他端部側を前記第２孔に嵌合させる方向にスライドさせることにより、前記ガイドシャフトが前記第１、第２の孔に支持されるようにしたことを特徴とする請求項１記載のリボンカセット。
【請求項３】
前記ケースには、少なくとも前記ガイドシャフトの前記他端部側を載置する前記第２孔近傍に、前記他端部側を前記第２孔に案内可能なガイド溝が形成されていることを特徴とする請求項２記載のリボンカセット。
【請求項４】
前記ケースには、前記供給コアの上方を覆う第１カバーと、前記巻取りコアの上方を覆う第２カバーとが配設され、この第２カバーには、前記第１孔に嵌合させた前記一端部に当接して、前記ガイドシャフトの軸心方向の動きを規制可能な規制部が形成されていることを特徴とする請求項３記載のリボンカセット。    
【発明の詳細な説明】
【技術分野】
【０００１】
本発明は、リボンカセットに係わり、巻取りコアと供給コアとに巻回したインクリボンの巻き取りをガイド可能なガイドシャフトを有するリボンカセットに関する。
【背景技術】
【０００２】
高精細な印刷が可能なフォトプリンタ等に用いられている従来のリボンカセット２１は、樹脂材料からなるケース２２を有し、このケース２２には、２点鎖線で示すような、幅広でフィルム状のインクリボン２３が引き回しされている。
前記インクリボン２３は、供給コア２４と巻取りコア２５とに巻回されてケース内部を引き回しされている。そして、供給コア２４は、巻回したインクリボンを保護するための保護カバー２６とケース２２の軸受け部に支持されて回転自在になっている。
【０００３】
前記保護カバー２６には、横長状でスリット状のリボン引き出し口２２ａが形成されて、供給コア２４に巻回したインクリボン２３がリボン引き出し口２２ａから引き出し可能になっている。
また保護カバー２６の手前側には、プリンタ側のサーマルヘッド（図示せず）が位置してインクリボン２３を記録媒体（図示せず）を介してプラテンローラ（図示せず）に圧接するための開放部２２ｂが形成されている。
【０００４】
また、リボン引き出し口２２ａから引き出されたインクリボン２３は、横長で棒状のガイドシャフト２７にガイドされ、引き回し方向が略９０°方向転換されて巻取りコア２５に巻取られるようになっている。
前記ガイドシャフト２７は、左右両端部が、ケース２２に形成した一対のスナップ係支部２８にスナップ係合されて回転自在に支持されている。
そして、プリンタにリボンカセット２１を装着すると、プリンタ側の巻取りボビン（図示せず）が巻取りコア２５に係合して、巻取りコア２５が回転駆動されて、インクリボン２３を巻取り可能になっている。
【特許文献１】特開２００１−２０５８７９号公報
【発明の開示】
【発明が解決しようとする課題】
【０００５】
しかし、前述したような従来のリボンカセット２１は、ガイドシャフト２７がスナップ係支部２８にスナップ係合されているので、リボンカセット２１を誤って落下させた場合等の衝撃で、スナップ係支部２８からガイドシャフト２７が外れるおそれがあった。
そのために、スナップ係支部２８とガイドシャフト２７とのスナップ係支をきつくすると、ガイドシャフト２７がスムーズに回転しなくなり、インクリボン２３の巻き取りを適正にガイドできなくなり、インクリボン２３が蛇行したりしてシワ等発生するおそれがあった。
【０００６】
本発明は、前述したような課題を解決して、落下等の衝撃が加わっても、ケースに支持したガイドシャフトが、ケースから外れることが無く回転がスムーズなリボンカセットを提供することを目的とする。
【課題を解決するための手段】
【０００７】
前記課題を解決するための第１の解決手段として本発明のリボンカセットは、インクリボンと、このインクリボンの両端部を巻回した供給コアと巻取りコアと、前記供給コアと前記巻取りコアとを回転自在に支持するケースと、前記供給コアから前記巻取りコアに巻取られる前記インクリボンをガイドするガイドシャフトとを備え、
前記ガイドシャフトは、長手方向の両端部が前記ケース側に形成した第１と第２の孔に嵌合させて回転自在に支持されていることを特徴とする。
【０００８】
また、前記課題を解決するための第２の解決手段として、前記第１孔は、前記ケースに突出形成した所定の厚さ寸法の第１壁部に貫通形成され、前記第２孔は、前記第１壁部と対向する側に形成した第２壁部に前記第１孔と対向して形成され、
前記ガイドシャフトは、一端部側を前記第１孔に挿通させて前記第１孔から外側に突出させると共に、他端部側を前記第２孔近傍の前記ケース側に載置し、前記他端部側を前記第２孔に嵌合させる方向にスライドさせることにより、前記ガイドシャフトが前記第１、第２の孔に支持されるようにしたことを特徴とする。
【０００９】
また、前記課題を解決するための第３の解決手段として、前記ケースには、少なくとも前記ガイドシャフトの前記他端部側を載置する前記第２孔近傍に、前記他端部側を前記第２孔に案内可能なガイド溝が形成されていることを特徴とする。
【００１０】
また、前記課題を解決するための第４の解決手段として、前記ケースには、前記供給コアの上方を覆う第１カバーと、前記巻取りコアの上方を覆う第２カバーとが配設され、この第２カバーには、前記第１孔に嵌合させた前記一端部に当接して、前記ガイドシャフトの軸心方向の動きを規制可能な規制部が形成されていることを特徴とする。
【発明の効果】
【００１１】
本発明に係わるガイドシャフトは、長手方向の両端部がケース側に形成した第１と第２の孔に嵌合させて回転自在に支持されているので、リボンカセットを誤って落下させたとしても、ガイドシャフトが抜け落ちることがなく、インクリボンを確実にガイドすることができる。
【００１２】
また、ガイドシャフトは、一端部側を第１孔に挿通させて第１孔から外側に突出させると共に、他端部側を第２孔近傍のケース側に載置し、他端部側を第２孔に嵌合させる方向にスライドさせることにより、ガイドシャフトが第１、第２の孔に支持されるようにしたので、ケースにガイドシャフトを取り付ける組立性が良い。
【００１３】
また、ケースには、少なくともガイドシャフトの他端部側を載置する第２孔近傍に、他端部側を第２孔に案内可能なガイド溝が形成されているので、少なくとも他端部側を第２孔に確実に案内して嵌合させることができ、更に組立性が良い。
【００１４】
また、ケースには、供給コアの上方を覆う第１カバーと、巻取りコアの上方を覆う第２カバーとが配設され、前記第２カバーには、第１孔に嵌合させたガイドシャフトの一端部に当接して、ガイドシャフトの軸心方向の動きを規制可能な規制部が形成されているので、ガイドシャフトをケースに確実に抜け止めすることができる。
【発明を実施するための最良の形態】
【００１５】
以下に、本発明のリボンカセット１を図面に基づいて説明する。図１は本発明のリボンカセットの分解斜視図であり、図２〜図４は本発明のリボンカセットの組立を説明する平面図である。
まず、本発明の実施の形態のリボンカセット１は、図１に示すように、横長状で  樹脂材料からなるケース２が配設されている。前記ケース２には、２点鎖線で示すような、幅広のインクリボン３が引き回しされている。
【００１６】
また、インクリボン３は、一方の面にインクが塗布されて両端部が供給コア４と巻取りコア５とに巻回されている。
前記供給コア４は、ケース２に形成した第１コア支持部２ａに回転自在に支持され、巻取りコア５は、ケース２に形成した第２コア支持部２ｂに回転自在に支持されている。
また、第１、第２コア支持部２ａ、２ｂは、長手方向の両端部側が、桟状の連結部２ｃ、２ｃで連結されて一体化されている。そして、連結部２ｃ、２ｃの間が開放されて、プリンタ（図示せず）側のサーマルヘッドが位置して、記録媒体（図示せず）を介して、インクリボン３をプラテンローラ（図示せず）に圧接するための開放部２ｄが形成されている。
【００１７】
また、インクリボン３を巻回した状態で第１コア支持部２ａに支持された供給コア４の上方には、インクリボン３を保護するための第１カバー６が配設されている。即ち、第１コア支持部２ａに支持した供給コア４は、第１カバー６に覆われて回転自在になっている。
前記第１カバー６には、開放部２ｄに沿ってスリット状のリボン引き出し口６ａが形成されて、供給コア４に巻回したインクリボン３がリボン引き出し口６ａから引き出し可能になっている。
【００１８】
また、開放部２ｄの図示手前側には、横長状の側壁７が形成され、この側壁７の下部側には、側壁７に沿って金属からなる棒状のガイドシャフト８が配設されている。前記ガイドシャフト８は、図示左側の一端部８ａ側がケース２に形成した第１壁２ｅの第１孔（図示せず）に回転自在に嵌合している。
また、ガイドシャフト８は、図示右側の他端部８ｂ側がケース２に形成した第２壁２ｆの第２孔（図示せず）に回転自在に嵌合している。
即ち、ガイドシャフト８は、長手方向の両端部がケース２に形成した第１、第２壁２ｅ、２ｆの第１、第２孔に回転自在に支持されている。
【００１９】
また、第１、第２壁２ｅ、２ｆ近傍のケース２には、ガイドシャフト８の一端部８ａおよび他端部８ｂを第１壁２ｅの第１孔および第２壁２ｆの第２孔に案内可能なガイド溝２ｇがそれぞれ形成されている。
前記がイド溝２ｇは、第２壁２ｆ近傍だけに形成したものでも良い。即ち、ケース２には、少なくとも第２壁２ｆに形成した第２孔近傍に、他端部８ｂ側を第２孔に案内可能なガイド溝３ｇが形成したものであれば良い。
【００２０】
また、第２コア支持部２ｂに支持した巻取りコア５の上方には、巻取りコア５を覆う第２カバー９が着脱可能に配設されている。
前記第２カバー９には、規制部９ａが突出形成され、この規制部９ａが、第１壁２ｅの第１孔に嵌合させたガイドシャフト８の一端部８ａに当接することにより、ガイドシャフト８の軸心方向の動きを規制可能になっている。
また、第２コア支持部２ｂに載置した巻取りコア５の上方から第２カバー９をかぶせると、巻取りコア５が回転自在に支持されるようになっている。
【００２１】
前述したような本発明のリボンカセット１の組立は、まず、インクリボン３の両端部を巻回した状態の供給コア４と巻取りコア５とを準備する。
そして、ケース２の第１コア支持部２ａに、供給コア４を載置すると共に、第２コア支持部２ｂに巻取りコア５を載置する。
その後、供給コア４の上を覆うように第１カバー６をかぶせてケース２に装着する。次ぎに、側壁７と巻取りコア５との間のインクリボン３上にガイドシャフト８を位置させて、側壁７に沿ってガイドシャフト８を水平状態で下方に押し付ける。すると、ガイドシャフト８に押された部分のインクリボン３が、側壁７に沿って降下して、インクリボン３の側面視の形状が略９０°に折れ曲がってクランク状になる。
【００２２】
前記側壁７に沿って降下させたガイドシャフト８は、一端部８ａ側が第１壁近傍のガイド溝２ｇに位置する。そして、ガイドシャフト８を、図２に示すように、矢印Ａの左方向にスライドさせると、一端部８ａが第１孔に嵌合して第１壁２ｅの図示左側の外側に突出する。
この時のガイドシャフト８の他端部８ｂは、第２壁２ｆ近傍のガイド溝２ｇに位置している。
次ぎに、ガイドシャフト８を、図３に示すように、矢印Ｂの右方向にスライドさせると、他端部８ｂがガイド溝２ｇにガイドされて第２壁２ｆの第２孔に嵌合すると共に、第１孔に嵌合した状態の一端部８ａが第１壁２ｅの外面と面一となる。この時のガイドシャフト８は、両端部が第１、第２壁２ｅ、２ｆに形成した第１、第２孔（図示せず）に回転自在に支持される。
【００２３】
次ぎに、第２コア支持部２ｂに位置させた巻取りコア５の上方から、第２カバー９をかぶせてケース２に装着すると、第２カバー９の規制部９ａがガイドシャフト８の一端部８ａに当接して、ガイドシャフト８の軸心方向の動きが規制されて、ガイドシャフト８が抜け止めされる。
このような本発明のリボンカセット１は、操作者がプリンタに着脱時等に、誤って落下させたとしても、ガイドシャフト８が第１壁２ｅの第１孔、または第２壁２ｆの第２孔から外れることがない。
【００２４】
このように組み立てられた本発明のリボンカセット１は、熱転写プリンタ（図示せず）側のカセット載置部に装着すると、巻取りコア５端部に形成した歯車部がプリンタ側の巻取りボビンに係合して、巻取りコア５が回転駆動可能になっている。そして、巻取りコア５を回転駆動することにより、印刷後のインクリボン３を巻取り可能になっている。
【図面の簡単な説明】
【００２５】
【図１】本発明のリボンカセットの分解斜視図である。
【図２】本発明のリボンカセットの組立を説明する平面図である。
【図３】本発明のリボンカセットの組立を説明する平面図である。
【図４】本発明のリボンカセットの組立を説明する平面図である。
【図５】従来のリボンカセットを説明する斜視図である。図である。
【符号の説明】
【００２６】
１：本発明のリボンカセット
２：ケース
２ａ：第１コア支持部
２ｂ：第２コア支持部
２ｃ：連結部
２ｄ：開放部
２ｅ：第１壁
２ｆ：第２壁
２ｇ：ガイド溝
３：インクリボン
４：供給コア
５：巻取りコア
６：第１カバー
７：側壁
８：ガイドシャフト
８ａ：一端部
８ｂ：他端部
９：第２カバー
９ａ：規制部
【図１】
2005119126.tif 000003
【図２】
2005119126.tif 000004
【図３】
2005119126.tif 000005
【図４】
2005119126.tif 000006
【図５】
2005119126.tif 000007